(57)【要約】【課題】ニードルによって孔が形成されるような場合に、充填された液体がニードルの周辺部から漏れないようにした液体包装袋を提供する。【解決手段】液体包装袋は、少なくとも内層２と外層４とを有する積層フィルム１から構成され、前記内層２は、直鎖状低密度ポリエチレン(ＬＬＤＰＥ)からなり、前記外層４は、前記内層２よりも耐熱温度が高い直鎖状低密度ポリエチレン(ＬＬＤＰＥ)からなる。【選択図】図１
2013018504.tif 000002
【特許請求の範囲】
【請求項１】
液体が充填される液体包装袋であって、
少なくとも内層と外層とを有する積層フィルムから構成され、
前記内層は、直鎖状低密度ポリエチレン(ＬＬＤＰＥ)からなり、前記外層は、前記内層よりも耐熱温度が高い直鎖状低密度ポリエチレン(ＬＬＤＰＥ)からなる、
ことを特徴とする液体包装袋。
【請求項２】
前記積層フィルムは、前記内層と外層との間に、無延伸フィルムからなる中間層を有する、
請求項１に記載の液体包装袋。
【請求項３】
前記無延伸フィルムがポリアミド樹脂からなる、
請求項２に記載の液体包装袋。
【請求項４】
前記液体が、ウォーターサーバー用の飲料用液体である、
請求項１〜３に記載の液体包装袋。
【発明の詳細な説明】
【技術分野】
【０００１】
本発明は、飲料用の液体などを充填する液体包装袋に関し、更に詳しくは、ウォーターサーバーにセットされて飲料用液体を供給するのに好適な液体包装袋に関する。
【背景技術】
【０００２】
液状の飲食物等を充填包装する液体包装袋として、例えば、図８に示されるように、ベースフィルム層２５と、中間層２６と、シーラント層２７とを有する積層フィルム２８から構成され、シーラント層２７が相互に対向するように折り返して周縁部をヒートシールして包装袋を形成するようにしたものがある（例えば、特許文献１参照）。
【０００３】
この包装袋では、外層となるベースフィルム層２５として、二軸延伸ポリエチレンテレフタレートフィルムや二軸延伸ナイロンフィルム層などが好適である旨記載されている。
【０００４】
ところで、工場、オフィスあるいは学校等においては、飲料水が自由に飲めるようにウォーターサーバーが設置される場合があるが、かかるウォーターサーバーには、回収に手間がかかると共に、回収までの保管スペースが必要なボトルに代えて、資源ごみとしてリサイクル可能なビニール袋に飲料水を充填して供給するようにしたものがある（例えば、特許文献２参照）。
【０００５】
この特許文献２のウォーターサーバー３３では、図９の断面図に示すように、飲料水が充填されたビニール袋２９を、ウォーターサーバー３３の上部のボトルホルダー３０の中にセットすると、ビニール袋２９に充填された飲料水の重さで、ボトルホルダー３０の底部中央に設置されたニードル３１によってビニール袋２９に孔が開けられ、矢符で示されるように、ビニール袋２９内に刺し込まれたニードル３１の上部の開口からニードル３１の内部に形成された通路を通って下方のタンク３２へ供給されるようになっている。
【先行技術文献】
【特許文献】
【０００６】
【特許文献１】特開２００９−２３４６２９号公報
【特許文献２】特許第４６７７５０８号公報
【発明の概要】
【発明が解決しようとする課題】
【０００７】
上記特許文献２のウォーターサーバー３３に使用するビニール袋では、ニードル３１によって孔が開けられる際に、その孔の周辺部に亀裂や裂けが生じると、その部分から飲料水が漏れることになるが、例えば、上述の特許文献１に示される従来の液体包装袋では、その外層であるベースフィルム層２５が、二軸延伸ポリエチレンテレフタレートフィルムや二軸延伸ナイロンフィルムなどからなるために、上記ウォーターサーバー３３に使用しようとすると、ニードル３１が、当該液体包装袋に刺さって孔が形成される際に、孔の周辺に亀裂や裂けが生じて飲料水が漏れてしまうことになる。
【０００８】
本発明は、上述のような点に鑑みてなされたものであって、例えば、ニードルが刺されたような場合に、その周辺に亀裂や裂けなどが生じにくい液体包装袋を提供することを目的とする。
【課題を解決するための手段】
【０００９】
本発明は、液体が充填される液体包装袋であって、少なくとも内層と外層とを有する積層フィルムから構成され、前記内層は、直鎖状低密度ポリエチレン(ＬＬＤＰＥ)からなり、前記外層は、前記内層よりも耐熱温度が高い直鎖状低密度ポリエチレン(ＬＬＤＰＥ)からなる。
【００１０】
本発明によると、外層が、引張り、引裂き、衝撃強度が強い直鎖状低密度ポリエチレン（ＬＬＤＰＥ）からなるので、液体が充填された当該液体包装袋に、例えば、ニードルによって孔が形成されても、その周辺に亀裂や裂けなどが生じることがなく、液体が漏れるのを防止することができる。
【００１１】
本発明の液体包装袋の他の実施態様においては、前記積層フィルムは、前記内層と外層との間に、無延伸フィルムからなる中間層を有する。
【００１２】
この無延伸フィルムは、ポリアミド樹脂からなるのが好ましい。
【００１３】
この実施態様によると、無延伸フィルムからなる中間層によって機械的強度を高めることができる。また、中間層無延伸フィルムであるから、方向性がないため、ニードルによって孔が形成されても、特定の方向に亀裂や裂けなどが生じることがない。
【００１４】
本発明の液体包装袋の好ましい実施態様においては、前記液体が、ウォーターサーバー用の飲料用液体である。
【００１５】
この実施態様によると、飲料用液体が充填された当該液体包装袋を、ウォーターサーバーにセットしてニードルによって液体包装袋に孔を形成してニードルを介して飲料用液体を供給する際に、液体包装袋の前記孔の周辺部に亀裂や裂けが生じることがなく、飲料用液体が漏れるのを防止することができる。
【発明の効果】
【００１６】
本発明によると、外層が、引張り、引裂き、衝撃強度が強い直鎖状低密度ポリエチレン（ＬＬＤＰＥ）からなるので、液体が充填された当該液体包装袋に、例えば、ウォーターサーバーのニードルによって孔が形成されても、その周辺が破損することがなく、液体が漏れるのを防止することができる。
【図面の簡単な説明】
【００１７】
【図１】図１は、本発明の一実施形態の液体包装袋を構成する積層フィルムの概略断面図である。
【図２】図２は、飲料水を充填した液体包装袋の概略斜視図である。
【図３】図３は、ウォーターサーバーの正面図である。
【図４】図４は、ウォーターサーバーへ飲料水が充填された液体包装袋をセットする状態を示す正面図である。
【図５】図５は、ボトルホルダー１０内に液体包装袋７をセットした状態の要部の断面図である。
【図６】図６は、液体包装袋からの飲料水の流れを示す拡大断面図である。
【図７】図７は、ウォーターサーバーの使用状態を示す正面図である。
【図８】図８は、従来例の積層フィルムの断面図である。
【図９】図９は、ビニール袋を使用したウォーターサーバーの要部の断面図である。
【発明を実施するための形態】
【００１８】
以下、添付した図面を参照して、本発明の実施の形態について詳細に説明する。
【００１９】
図１は、本発明の一実施形態の液体包装袋を構成する積層フィルム１の概略断面図である。
【００２０】
この実施形態の積層フィルム１は、内層２、中間層３、及び、外層４を備えると共に、各層２，３，４をドライラミネートするためのドライラミネート用の接着剤層５，６を備えている。
【００２１】
この積層フィルム１によって、液体包装袋を製造する際にはヒートシールを行う必要があり、内層２には、ヒートシール性および機械的強度が良好な直鎖状低密度（Linear  Low  Density）ポリエチレン(ＬＬＤＰＥ)を用いている。
【００２２】
中間層３は、引張強度等に優れる無延伸のポリアミド樹脂、例えば、無延伸ナイロンからなる。また、無延伸の樹脂を使用することにより、中間層３は方向性を有しない。従って、仮に傷やピンホールが形成された場合であっても、特定の方向に大きく裂けるということが生じにくい。
【００２３】
外層４は、内層２よりも耐熱温度が高い直鎖状低密度ポリエチレン(ＬＬＤＰＥ)からなる。この直鎖状低密度ポリエチレン（ＬＬＤＰＥ）は、柔軟性に優れ、引張り、引裂き、衝撃強度が強い。外層４を構成する直鎖状低密度ポリエチレン(ＬＬＤＰＥ)は、ヒートシールの際に溶けないように、内層２を構成する直鎖状低密度ポリエチレン(ＬＬＤＰＥ)に比べて耐熱温度が高くなっている。
【００２４】
この積層フィルム１は、例えば、内層２にドライラミネート用の接着剤を塗布して接着剤層５を形成し、その上に中間層３を加熱加圧接着する。次に、中間層３にドライラミネート用の接着剤を塗布して接着剤層６を形成し、その上に外層４を加熱加圧接着することによって製造することができる。
【００２５】
液体包装袋は、この積層フィルム１の内層２が対向するように配置して周縁部をヒートシールしてシール部を形成することによって構成される。この液体包装袋７は、柔軟性を有しており、液体としての飲料水を充填した状態では、図２に示されるように、略立方体状となる。
【００２６】
この実施形態の液体包装袋７は、ウォーターサーバー用の飲料水が充填され、ウォーターサーバーにセットされて飲料水を供給するものである。
【００２７】
図３は、このウォーターサーバーの正面図であり、内部構造の一部を、破線を用いて示している。このウォーターサーバー８は、上述の特許文献２のウォーターサーバーと同じであり、本体９と、本体９の上部に装着されるボトルホルダー１０とを備えている。本体９は、飲料水を冷却する冷却タンク１１および飲料水を温める加熱タンク１２を内蔵し、冷却タンク１１の下に加熱タンク１２が配置され、冷却タンク１１に送られてきた飲料水が加熱タンク１２に流れる構造となっている。本体９の正面には、冷やされた飲料水あるいは温められた飲料水を供給する２つの供給口１３，１４が設けられている。
【００２８】
前記冷却タンク１１では本体９に内蔵された冷却装置によって飲料水が所定の温度に冷やされ、前記加熱タンク１２では本体９に内蔵されたヒーターによって飲料水が所定の温度に温められる。
【００２９】
このウォーターサーバー８では、利用者は、図４に示されるように、本体９の上部のボトルホルダー１０の蓋１７を開けて、飲料水が充填された上述の液体包装袋７をボトルホルダー１０内にセットする。
【００３０】
図５は、ボトルホルダー１０内に液体包装袋７をセットした状態の要部の断面図である。
【００３１】
ボトルホルダー１０の下部の中央には、先端が尖ったニードル１６が設置されている。このニードル１６は、内部に仕切り壁で縦方向に仕切られた２つの通路１８ａ，１８ｂが形成されている。飲料水が充填された液体包装袋７を、ボトルホルダー１０内にセットすると、液体包装袋７に充填された飲料水の重さで、ニードル１６によって液体包装袋７に孔が開けられ、ニードル１６が液体包装袋７内に挿入される。
【００３２】
これによって、図６に示すように、液体包装袋７内の飲料水が、前記ニードル１６に形成された開口１６ａ，１６ｂおよび通路１８ａ，１８ｂを通ってボトルホルダー１０の底部１９に送られる。
【００３３】
前記底部１９に一時的に貯留された飲料水は、底部１９の下面に挿入された挿入棒２０を通って前記冷却タンク１１へと流れる。さらに前記冷却タンク１１から上述の加熱タンク１２へと飲料水は送られ、前記冷却タンク１１および前記加熱タンク１２に飲料水がそれぞれ貯留され、冷却タンク１１では飲料水が冷却装置により所定の温度に冷却され、加熱タンク１２では飲料水は内蔵されたヒーターにより所定の温度に温められる。
【００３４】
前記冷却タンク１１および前記加熱タンク１２に飲料水が貯留され、飲料水が所定の温度になると、ウォーターサーバー８は使用可能な状態となる。利用者は、図７に示すように、供給口１３，１４にコップ２１をセットし、希望する飲料水をコップに注ぐことができる。
【００３５】
この実施形態では、飲料水が充填された液体包装袋７は、３層構造の積層フィルム１で構成されているのでニードル１６を刺して液体包装袋７に孔を開けた時に、孔の周りの液体包装袋７の外層４がニードル１６の表面に張り付いた状態で液体包装袋７の内側へと引き込まれるので、前記孔の周囲は前記ニードル１６と密着した状態なり、孔の周囲からボトルホルダー１０の内部に飲料水が漏れるのを防ぐことができる。
【００３６】
特に、外層４は、柔軟性に優れ、引張り、引裂き、衝撃強度が強い直鎖状低密度ポリエチレン（ＬＬＤＰＥ）から構成されているので、ニードル１６が刺されたときに、孔の周辺部に亀裂や裂けが生じるのを防止することができる。
【００３７】
また、直鎖状低密度ポリエチレン（ＬＬＤＰＥ）は、耐寒性も良好であるので、寒冷地や冬季においてもニードル１６が刺されたときに、孔の周辺部に亀裂や裂けが生じて飲料水が漏れるのを有効に防止することができる。
【００３８】
この液体包装袋７の飲料水を使い切ったときには、利用者は、空になった液体包装袋７を資源ごみとしてリサイクルでき、また、処分するまでの間も小さく折りたためるので余分なスペースは不要となる。
【００３９】
上述の実施形態では、液体包装袋７には、飲料水を充填したが、例えば清涼飲料水や酒類、調味料等の、飲料水以外の液体を充填してもよい。また、液体包装袋７を清涼飲料水のサーバー（ドリンクサーバー）、酒類のサーバー、調味料のサーバー等のウォーターサーバー以外の用途に使用してもよい。
【００４０】
上述の実施形態では、積層フィルム１には、中間層３を一層設けたけれども、二層以上設けてもよく、あるいは、必要な強度が確保できるのであれば、中間層は省略してもよい。
【符号の説明】
【００４１】
１              積層フィルム
２              内層
３              中間層
４              外層
５，６          接着剤層
７              液体包装袋
８              ウォーターサーバー
１６            ニードル
【図１】
2013018504.tif 000003
【図２】
2013018504.tif 000004
【図３】
2013018504.tif 000005
【図４】
2013018504.tif 000006
【図５】
2013018504.tif 000007
【図６】
2013018504.tif 000008
【図７】
2013018504.tif 000009
【図８】
2013018504.tif 000010
【図９】
2013018504.tif 000011